(57)【要約】【課題】空気入りタイヤの優れたベルトの耐久性を維持した上で、小突起乗り越し性能さらには操縦安定性の一層の改善を図る。【解決手段】一対のビード部間にトロイダル状に跨るカーカスを骨格として、該カーカスのクラウン部の径方向外側に、タイヤの赤道面に沿って延びるコードの多数本をゴムで被覆した、少なくとも１層の周方向ベルト層と、タイヤの赤道面に対して傾斜した向きに延びるコードの多数本をゴムで被覆した、少なくとも２層の傾斜ベルト層とを配置してなるベルトを有し、該ベルトの径方向外側にトレッドを配置した空気入りタイヤであって、１．上記傾斜ベルト層の少なくとも１層の幅を周方向ベルト層の幅よりも広くする、２．周方向ベルト層を幅方向中央域と該幅方向中央域の幅方向外側に位置する幅方向端部域とに区画した際、該幅方向端部域に配置されたコードの弾性率を該幅方向中央域に配置されたコードの弾性率よりも低くする、３．上記周方向ベルト層を上記傾斜ベルト層間に配置する。【選択図】図１
2009255619.tif 000002
【特許請求の範囲】
【請求項１】
一対のビード部間にトロイダル状に跨るカーカスを骨格として、該カーカスのクラウン部の径方向外側に、タイヤの赤道面に沿って延びるコードの多数本をゴムで被覆した少なくとも１層の周方向ベルト層と、タイヤの赤道面に対して傾斜した向きに延びるコードの多数本をゴムで被覆した少なくとも２層の傾斜ベルト層とを配置してなるベルトを有し、該ベルトの径方向外側にトレッドを配置した空気入りタイヤであって、
（１）上記傾斜ベルト層の少なくとも１層の幅を周方向ベルト層の幅よりも広くする、
（２）周方向ベルト層を幅方向中央域と該幅方向中央域の幅方向外側に位置する幅方向端部域とに区画した際、該幅方向端部域に配置されたコードの弾性率を該幅方向中央域に配置されたコードの弾性率よりも低くする、
（３）上記周方向ベルト層を上記傾斜ベルト層間に配置する
ことを特徴とする空気入りタイヤ。
【請求項２】
前記周方向ベルト層の幅は、タイヤの総幅の６０％以上９０％以下であることを特徴とする請求項１に記載の空気入りタイヤ。
【請求項３】
前記幅方向端部域に配置された低弾性率のコードは、初期伸びを有する伸張性の金属コードであり、前記幅方向中央域に配置された高弾性率のコードは、非伸張性の金属コードを直線状、波形状もしくはジグザグ状に型付けしたものであることを特徴とする請求項１または２に記載の空気入りタイヤ。
【請求項４】
前記幅方向端部域に配置された低弾性率のコードが有機繊維コードであり、前記幅方向中央域に配置された高弾性率のコードが金属コードであることを特徴とする請求項１ないし３のいずれかに記載の空気入りタイヤ。
【請求項５】
前記幅方向端部域に配置された低弾性率のコードおよび前記幅方向中央域に配置された高弾性率のコードの引張歪み１．８％における、弾性率が、それぞれ４０ＧＰａ以上１００ＧＰａ以下および８０ＧＰａ以上２１０ＧＰａ以下の範囲にあることを特徴とする請求項１ないし４のいずれかに記載の空気入りタイヤ。
【請求項６】
前記周方向ベルト層のコードの弾性率が低い幅方向端部域の幅が周方向ベルト層の全幅の５〜２０％であることを特徴とする請求項１ないし５のいずれかに記載の空気入りタイヤ。
【請求項７】
前記周方向ベルト層は、１本または複数本のコードをゴムで被覆したゴム被覆材を前記カーカスのクラウン部に螺旋状に巻回してなることを特徴とする請求項１ないし６のいずれかに記載の空気入りタイヤ。
【発明の詳細な説明】
【技術分野】
【０００１】
本発明は、重荷重用空気入りタイヤの用途に供して好適な空気入りタイヤに関し、特に、その耐久性の向上と共に小突起乗り越し性能の悪化を制御しつつ操縦安定性の改善を図ろうとするものである。
【背景技術】
【０００２】
近年、車両の高速化や低床化の要求により、装着タイヤはより扁平化され、これに伴って標準内圧付与時のトレッド部の径方向成長量は一層増大してゆく傾向にある。このトレッド部における径方向成長量の増加は、ベルト端部での応力集中を増幅して当該部分での耐久性の低下を招くため、特にベルトエンドセパレーションを早期に発生させる要因となる。
すなわち、扁平比の小さいタイヤでは、内圧付与時のトレッド部、特にショルダー部近傍の径成長量が増大することが問題になるから、タイヤの周方向に配置した補強素子による周方向ベルト層にて径成長を抑制する技術が必要となる。
【０００３】
周方向ベルト層にて径成長を抑制する技術について、特許文献１には、カーカスの周りにタイヤ赤道に対し、１０〜４０゜の傾斜角にて互いにタイヤ赤道を挟み交差する多数のコード又はフィラメントを補強要素とする、少なくとも２層の傾斜ベルトを有し、さらに傾斜ベルトの下に位置する、少なくとも１層よりなり、波形もしくはジグザグ形をなす多数のコード又はフィラメントの補強要素を全体としてタイヤ赤道に沿う配向としたストリップによる周方向ベルト層を有する構造が開示されている。
【特許文献１】特開平２−２０８１０１号公報
【０００４】
しかし、更に扁平比が小さくなった場合、具体的には、タイヤの断面幅に対する断面高さの比である扁平比が０．７０以下の場合には、周方向ベルト層の幅を更に広げないと、所期した径成長の抑制が困難となる。ところが、周方向ベルト層幅を広げることは、以下の新たな問題をまねくことになる。
【０００５】
すなわち、周方向ベルト層幅を広げると、タイヤ走行に伴い、接地領域において周方向ベルト層の幅方向端部が周方向に曲げ変形してベルト層が周方向に伸びる結果生じる、引張入力（以下、引張振幅入力）が繰り返し強く作用することになり、その結果、周方向ベルト層の幅方向端部において、コードが疲労破断し易くなる。
【０００６】
このように、周方向ベルト層を広くした場合、最も問題となるのが、周方向ベルト層の幅方向端部における、コードの疲労破断である。これは、タイヤ走行に伴い、周方向ベルト層端部のコードに引張振幅入力が作用するためであり、引張振幅入力を抑制することが、この問題を解決するためには不可欠である。
【０００７】
上記の問題を解決するものとして、出願人会社は先に、「周方向ベルト層の幅がタイヤの総幅の６０％以上であり、少なくとも１層の傾斜ベルト層の幅が周方向ベルト層の幅よりも広く、さらに、周方向ベルト層において、その幅方向端部側に配置されたコードの弾性率が当該コードの幅方向内側に配置されたコードの弾性率よりも低いことを特徴とする空気入りタイヤ」を開発し、特願２００６−３４９４８１号明細書において開示した。
この技術は、周方向ベルト層に埋設したコードの幅方向の弾性率を調整することによって、コードの疲労破断を抑制して、ベルトの耐久性の向上を図ろうとするものである。
【発明の開示】
【発明が解決しようとする課題】
【０００８】
本発明は、上記した特願２００６−３４９４８１号明細書に開示の空気入りタイヤの改良に係るもので、優れたベルトの耐久性を維持した上で、小突起乗り越し性能さらには操縦安定性の一層の改善を図ることを目的とする。
【課題を解決するための手段】
【０００９】
さて、発明者らは、上記の目的を達成するために鋭意研究を重ねた結果、傾斜ベルト層と周方向ベルト層の配置を改善することが、所期した目的の達成に極めて有効であることの知見を得た。
本発明は、上記の知見に立脚するものである。
【００１０】
本発明の要旨は、以下のとおりである。
１．一対のビード部間にトロイダル状に跨るカーカスを骨格として、該カーカスのクラウン部の径方向外側に、タイヤの赤道面に沿って延びるコードの多数本をゴムで被覆した少なくとも１層の周方向ベルト層と、タイヤの赤道面に対して傾斜した向きに延びるコードの多数本をゴムで被覆した少なくとも２層の傾斜ベルト層とを配置してなるベルトを有し、該ベルトの径方向外側にトレッドを配置した空気入りタイヤであって、
（１）上記傾斜ベルト層の少なくとも１層の幅を周方向ベルト層の幅よりも広くする、
（２）周方向ベルト層を幅方向中央域と該幅方向中央域の幅方向外側に位置する幅方向端部域とに区画した際、該幅方向端部域に配置されたコードの弾性率を該幅方向中央域に配置されたコードの弾性率よりも低くする、
（３）上記周方向ベルト層を上記傾斜ベルト層間に配置する
ことを特徴とする空気入りタイヤ。
【００１１】
２．上記周方向ベルト層の幅は、タイヤの総幅の６０％以上９０％以下であることを特徴とする上記１に記載の空気入りタイヤ。
【００１２】
３．上記幅方向端部域に配置された低弾性率のコードは、初期伸びを有する伸張性の金属コードであり、前記幅方向中央域に配置された高弾性率のコードは、非伸張性の金属コードを直線状、波形状もしくはジグザグ状に型付けしたものであることを特徴とする上記１または２に記載の空気入りタイヤ。
【００１３】
４．上記幅方向端部域に配置された低弾性率のコードが有機繊維コードであり、前記幅方向中央域に配置された高弾性率のコードが金属コードであることを特徴とする上記１ないし３のいずれかに記載の空気入りタイヤ。
【００１４】
５．上記幅方向端部域に配置された低弾性率のコードおよび前記幅方向中央域に配置された高弾性率のコードの引張歪み１．８％における、弾性率が、それぞれ４０ＧＰａ以上１００ＧＰａ以下および８０ＧＰａ以上２１０ＧＰａ以下の範囲にあることを特徴とする上記１ないし４のいずれかに記載の空気入りタイヤ。
【００１５】
６．上記周方向ベルト層のコードの弾性率が低い幅方向端部域の幅が周方向ベルト層の全幅の５〜２０％であることを特徴とする上記１ないし５のいずれかに記載の空気入りタイヤ。
【００１６】
７．上記周方向ベルト層は、１本または複数本のコードをゴムで被覆したゴム被覆材を前記カーカスのクラウン部に螺旋状に巻回してなることを特徴とする上記１ないし６のいずれかに記載の空気入りタイヤ。
【発明の効果】
【００１７】
本発明によれば、ベルトの耐久性の向上は勿論のこと、周方向ベルト層および傾斜ベルト層の配置を改善することによって、小突起乗り越し性能さらには操縦安定性の向上を図ることができる。
【発明を実施するための最良の形態】
【００１８】
以下に、本発明を具体的に説明する。
本発明は、一対のビード部間にトロイダル状に跨るカーカスを骨格として、該カーカスのクラウン部の径方向外側に、タイヤの赤道面に沿って延びるコードの多数本をゴムで被覆した少なくとも１層の周方向ベルト層と、タイヤの赤道面に対して傾斜した向きに延びるコードの多数本をゴムで被覆した少なくとも２層の傾斜ベルト層とを配置してなるベルトを有し、該ベルトの径方向外側にトレッドを配置した空気入りタイヤを基本とする。
【００１９】
以下、上記したタイヤの基本構造を踏まえて本発明の特徴的構成につき、図面を参照して説明する。
図１は、本発明に従う空気入りタイヤの幅方向断面である。符号１はカーカスであり、カーカス１は、一対のビード部（図示せず）間にトロイダル状に跨っており、図示例では、カーカス１のクラウン部を示す。２ａおよび２ｂは周方向ベルト層であり、周方向ベルト層２ａおよび２ｂは、タイヤ赤道ＣＬに沿って延びるコードの多数本をゴム被覆してなり、少なくとも１層、図示例では２層を示す。３ａおよび３ｂは傾斜ベルト層であり、傾斜ベルト層３ａおよび３ｂは、タイヤ赤道ＣＬに対して傾斜した向きに延びるコードの多数本をゴム被覆してなり、少なくとも２層、図示例では２層を示す。なお、本発明では、傾斜ベルト層３ａおよび３ｂを層間でコード相互が交差する向きに配置する。４は周方向ベルト層２ａ、２ｂおよび傾斜ベルト層３ａ、３ｂからなるベルト、５はベルト４の径方向外側に配置したトレッドを示す。
【００２０】
さて、本発明では、図１（ａ）に示したように、傾斜ベルト層の少なくとも１層（図示例では傾斜ベルト層３ａ）の幅（ＢＷ３ａ）を周方向ベルト層（２ａ，２ｂ）の幅（ＢＷ２）よりも広い構成とする。というのは、上記の構成とすることにより、特願２００６−３４９４８１号明細書にも記載したとおりタイヤの耐摩耗性およびコーナーリング性能に必要なトレッド部の面内剪断剛性が向上するからである。
なお、残る傾斜ベルト層（３ｂ）の幅（ＢＷ３ｂ）も、周方向ベルト層（２ａ、２ｂ）の幅（ＢＷ２）よりも広くすることが、トレッド部の面内剪断剛性およびタイヤの耐摩耗性を向上させる上で好ましい。図示したように、傾斜ベルト層３ａの幅と同３ｂの幅を異なる幅に設定することにより、急激な剛性変化が避けられ、ベルト層端部での耐セパレーション性が確保できるからである。
【００２１】
次に、本発明では、周方向ベルト層を幅方向中央域と幅方向中央域の幅方向外側に位置する幅方向端部域とに区画した際、幅方向端部域に配置されたコードの弾性率を幅方向中央域に配置されたコードの弾性率よりも低い構成とする。
すなわち、図１（ｂ）に示したように、幅方向端部域２Ｅ１，２Ｅ２に配置したコードの弾性率を幅方向中央域２Ｃに配置したコードの弾性率より低くすることによって、内圧充填時の径方向成長量の増加が同じになるため、タイヤの接地面における、周方向ベルト層の幅方向端部域の応力振幅を効果的に抑制することができる。その結果、コードの疲労破断を抑制することができる。
【００２２】
なお、周方向ベルト層の幅方向端部域に配置されたコードの弾性率は、幅方向中央域側に配置されたコードの弾性率に対して、０．３〜０．８倍であることが、上記引張応力の振幅抑制に有効である。
【００２３】
さらに本発明では、周方向ベルト層を、傾斜ベルト層間に配置した構成とする。
すなわち、図１（ａ）に示したように、周方向ベルト層２ａ，２ｂを、傾斜ベルト層３ａ，３ｂ間に配置することによって、タイヤが、小さな突起を乗り越してベルト層に曲げ変形が生じた際、幅方向張力負担が最も大きいカーカス直近に、幅方向張力を負担することのできる、傾斜ベルト層を配置することができ、その結果、小突起乗り越し性能の低下を抑制することができるのである。また、傾斜ベルト層３ａ，３ｂ間に周方向ベルト層２ａ，２ｂを配置することにより、ベルト４に生じるせん断変形が大きく緩和させることができる。その結果、操縦安定性も向上するのである。
【００２４】
ここで、例えば、走行中のタイヤが鋭利な突起を踏み付けた際、その突起がタイヤ内部に貫通して、タイヤ内の充填気体が洩れるおそれがあり、かような充填気体の洩れ対する耐久性、いわゆる小突起乗り越し性能の低下を抑制することが、特に工業製品において推奨される。
【００２５】
これに対し、傾斜ベルト層の少なくとも１層の幅を周方向ベルト層の幅よりも広くすることおよび周方向ベルト層の幅方向端部域に配置されたコードの弾性率を幅方向中央域に配置されたコードの弾性率よりも低くすることの要件は満足していても、周方向ベルト層を傾斜ベルト層間に配置する要件を満足していない場合には、十分な効果は得られない。
【００２６】
すなわち、図２に示すように、周方向ベルト層２ａ，２ｂの径方向外側に傾斜ベルト層３ａ，３ｂを配置する構成とした場合には、カーカス近傍に、幅方向張力を負担することのできる部材が配置されておらず、タイヤが径方向内側へ大きく撓むため、小突起乗り越し性能の改善は望み難い。
【００２７】
次に、本発明では、周方向ベルト層の幅は、タイヤの総幅ＴＷの６０％以上、好ましくは、７０％以上に設定することがより望ましい。というのは、径成長の大きい領域は、タイヤ総幅の６０％〜７０％の領域であることから、その領域には、径成長を抑制する周方向ベルト層を配置することが有利だからである。周方向ベルト層の幅の上限は、タイヤ形状を規定の寸法内に収めることの制約から、９０％とすることが好ましい。
【００２８】
なお、傾斜ベルト層の幅は、タイヤの総幅の６５％以上であることが好ましい。というのは、耐摩耗性を向上させるには、タイヤ総幅の６５％以上の範囲で傾斜ベルト層３ａのコードと同３ｂのコードとを交差させることが有利だからである。ここに、傾斜ベルト層の幅の上限は、タイヤ形状を規定の寸法内に収めることの制約から、９０％とすることが好ましい。
また、傾斜ベルト層のコードは、タイヤ赤道ＣＬに対して４０°以上、好ましくは５０°以上傾斜していると、耐摩耗性と耐久性を両立することが可能となる。なぜなら、傾斜ベルト層のコードのタイヤ赤道ＣＬに対する傾斜角度が４０°未満では、タイヤ走行中の接地領域において、傾斜ベルトの周方向変形が大きくなり、これにより、ゴムが破壊されてタイヤの耐久性が低下するおそれがあるからである。
【００２９】
さらに、幅方向端部域に配置する低弾性率のコードとしては、初期伸びを有する伸長性の金属コードであり、幅方向中央域に配置する高弾性率のコードとしては、非伸長性の金属コードを直線状、波形状もしくはジグザグ状に型付けしたものが好ましい。
低弾性率のコードとしては、金属製の弾性コードが好ましい。例えば、４×０．２８ｍｍ＋６×０．２５ｍｍの複撚り構造を有するハイエロンゲーションコードが好適である。
一方、高弾性率コードとしては、金属製の非伸張性コードが好ましい。例えば、（３＋９＋１５）×０．２３ｍｍの層撚り構造を有するコードが好適である。さらに、非伸長性の金属コードを波状もしくはジグザグ状に型付けを施したもの、いわゆる波形コード（図１（ｂ）における周方向ベルト層の構造を参照）を用いるようにしてもよい。
【００３０】
また、幅方向端部域に有機繊維コード、一方、幅方向中央域に金属製コードを配置する組み合わせとすることもできる。
【００３１】
本発明においては、幅方向端部域に配置する低弾性率のコードおよび幅方向中央域に配置する高弾性率のコードの引張り歪み１．８％における、弾性率を、それぞれ４０ＧＰａ以上１００ＧＰａ以下および８０ＧＰａ以上２１０ＧＰａ以下の範囲にすることが好ましい。
【００３２】
ここで、弾性率について、引張り歪み１．８％における値を基準とした理由は、接地面内におけるコードの引張歪はおよそ１．８％程度であることが実測値として知られているからである。
【００３３】
ここに、コードの弾性率は、空気入りタイヤを解体して採り出したゴム被覆状態のコードについて、引張り試験を行い、その結果から応力−歪み線図を作成し、該線図における歪みが１．８％における接線の勾配（傾き）を算出し、その値をコードの断面積で除することにより求めることができる。
【００３４】
低弾性率のコードの弾性率が４０ＧＰａより低い場合、内圧充填による径成長を抑制できないおそれがあり、一方、１００ＧＰａより高い場合、タイヤ転動時にかかるコードへの入力（応力振幅）により、コードが破断し、タイヤ内圧を保持することが難しくなるおそれがある。
また、高弾性率のコードの弾性率が８０ＧＰａより低い場合、内圧充填による径成長を抑制できないおそれがあり、２１０ＧＰａより高い場合、タイヤ転動時にかかるコードへの入力（応力振幅）により、コードが破断しやすくなり、タイヤ内圧を保持することが難しくなるおそれがある。
【００３５】
また、周方向ベルト層のコードの弾性率が低い幅方向端部域の幅は、周方向ベルト層の全幅の５〜２０％とすることが好ましい。というのは、全幅の５％未満では、周方向ベルト層への応力振幅の大きい領域に弾性率の高いコードが存在してしまうために未だ破断するおそれがあり、一方、全幅の２０％を超えると、径成長の増大を抑制するのが難しくなるからである。
【００３６】
さらに、周方向ベルト層は、１本または複数本のコードをゴムで被覆したゴム被覆材をカーカスのクラウン部に螺旋状に巻回して形成することが好ましい。というのは、タイヤの製造過程の周方向ベルト層を製造するに当たり、タイヤの製造時間を短縮することができ、結果的にコストを抑制することができるからである。
【実施例】
【００３７】
表１および表２に示す仕様の下、図１（ａ）に示したベルト構造を有するサイズ４９５／４５Ｒ２２．５のトラック及びバス用タイヤを試作した。得られた各試作タイヤについて、耐久性、耐摩耗性、小突起乗り越し性能および操縦安定性を調査した。
いずれの試作タイヤも２層の傾斜ベルト層を有している。発明例１〜５と比較例２〜６は、周方向ベルト層として、幅方向端部域に低弾性率コードを、一方、幅方向中央域に高弾性率コードを配置したものである。従来例および比較例１は、周方向ベルト層として、高弾性率コードを全幅にわたって配置したものである。
【００３８】
（各性能は次のようにして評価した。
（１）耐久性
これら試作タイヤを、サイズ１７．００×２２．５のリムに組み込み、内圧を９００ｋＰａに調整した上で、正規荷重：５８００ｋｇおよびドラム回転速度：６０．０ｋｍ／ｈの条件にてドラム走行を３００００ｋｍの距離で実施し、その後、タイヤを解剖して周方向ベルト層におけるコードの疲労破断本数を確認することによって疲労強度を測定した。疲労強度は、従来例のタイヤの強度を１００として指数で表し、数値が大きいほど疲労強度が大きい、すなわち耐久性に優れていることを示している。
【００３９】
（２）耐摩耗性
同時に、トレッド摩耗量を測定した。トレッド摩耗量は、従来例タイヤの摩耗量を１００としてその逆数を指数で表し、数値が大きいほど摩耗量が少ない、すなわち耐摩耗性が良好であることを示している。
【００４０】
（３）小突起乗り越し性能
試作タイヤを、サイズ１７．００×２２．５のリムに組み込み、内圧を９００ｋＰａに調整した上で、直径２５ｍｍの丸型突起物をトレッド部に１箇所、３０ｋＮの力で押し当て、丸型突起物の最大押込量を測定した。押込量は、従来例のタイヤの押込量を１００として指数で表し、数値が大きいほど押込量が少ない、すなわち小突起乗り越し性能が良好であることを示している。
【００４１】
（４）操縦安定性
操縦安定性は、  サイズ１７．００×２２．５のリムに組み込み、内圧を９００ｋＰａに調整して、タイヤをトラックの回転軸（駆動軸）に装着してドライバーによる官能評価を実施した。そして、従来例を１００として指数化し、数値が大きい程、操縦安定性が良好であることを示す。
【００４２】
なお、コードの弾性率は、インストロン型引張試験機にてコードの引張試験を行い、そのときの引張歪１．８％でのコード弾性率で表示した。
傾斜ベルト層としては、（１＋６）×０．３２ｍｍの層撚りのコードを、２４．５本／５０ｍｍ打ち込んだものを用いた。
また、周方向ベルト層としては、その幅方向端部域に４×（１×０．２８ｍｍ＋６×０．２５ｍｍ）の波形の高伸長性コードを２０本／５０ｍｍ打ち込み、一方幅方向中央域には（３＋９＋１５）×０．２３ｍｍの波状の非伸長性コードを２２．５本／５０ｍｍ打ち込んだものを用いた。
【００４３】
【表１】
2009255619.tif 000003
【００４４】
【表２】
2009255619.tif 000004
【００４５】
表１および表２に示したとおり、本発明に従い、傾斜ベルト層の幅が周方向ベルト層の幅よりも広く、また、周方向ベルト層の幅方向端部域に低弾性コードを、一方、幅方向中央域には高弾性コードをそれぞれ適用し、さらに、周方向ベルト層を傾斜ベルト層間に配置することにより、耐久性の向上は勿論のこと、小突起乗り越し性能の低下が抑制され、操縦安定性が向上していることがわかる。
【図面の簡単な説明】
【００４６】
【図１】（ａ）は本発明に従うタイヤの幅方向断面を示す図であり、（ｂ）は周方向ベルト層の展開図を示す。
【図２】本発明と比較する空気入りタイヤを示す図である。
【符号の説明】
【００４７】
１  カーカス
２ａ、２ｂ  周方向ベルト層
２Ｃ  幅方向中央域
２Ｅ１、２Ｅ２  幅方向端部域
３ａ、３ｂ  傾斜ベルト層
４  ベルト
５  トレッド
６  低弾性率コード
７  高弾性率コード
ＣＬ  タイヤ赤道
【図１】
2009255619.tif 000005
【図２】
2009255619.tif 000006